(57)【特許請求の範囲】
【請求項１】
穀粒を搬送する横送りスクリューコンベアと縦送りスクリューコンベアとがベベルギア機構を介して連動連結され、且つ、前記横送りスクリューコンベアから前記縦送りスクリューコンベアに穀粒を受け渡すための受渡用搬送経路を形成する搬送用ケースが備えられている穀粒搬送装置であって、
前記搬送用ケースにおける前記受渡用搬送経路の搬送始端側箇所に対応する一部を開口する状態で清掃用開口が形成され、
その清掃用開口を閉じる平板状の蓋体が着脱自在に設けられ、
前記蓋体における前記横送りスクリューコンベアの回転方向下手側箇所に、前記横送りスクリューコンベアの周方向に沿う蓋体側の穀粒案内面が設けられ、
前記蓋体における前記横送りスクリューコンベアの回転方向上手側箇所に対応する前記清掃用開口の端部に、前記横送りスクリューコンベアの周方向に沿うケース側の穀粒案内面が設けられ、
前記蓋体における前記横送りスクリューコンベアの回転方向下手側箇所が、前記蓋体における前記横送りスクリューコンベアの回転方向上手側箇所よりも下方側に位置するものであり、
前記蓋体側の穀粒案内面を構成する板状の案内面構成体が前記蓋体に取り付けられ、
前記蓋体が、その周縁部を前記搬送用ケースの清掃用開口の外周部に形成されたフランジ連結用接続面に当て付けた状態で取り付けられ、
前記蓋体における前記蓋体側の穀粒案内面が設けられる側とは反対側に対応する前記清掃用開口の端部において、前記フランジ連結用接続面よりもケース内方側に凹入する凹部が形成され、
前記案内面構成体における前記蓋体側の穀粒案内面とは反対側の端部を、前記凹部に入り込ませて前記受渡用搬送経路を形成する空間に露出させない状態で、前記蓋体が前記搬送用ケースに取り付けられている穀粒搬送装置。
【請求項２】
穀粒を搬送する横送りスクリューコンベアと縦送りスクリューコンベアとがベベルギア機構を介して連動連結され、且つ、前記横送りスクリューコンベアから前記縦送りスクリューコンベアに穀粒を受け渡すための受渡用搬送経路を形成する搬送用ケースが備えられている穀粒搬送装置であって、
前記搬送用ケースにおける前記受渡用搬送経路の搬送始端側箇所に対応する一部を開口する状態で清掃用開口が形成され、
その清掃用開口を閉じる平板状の蓋体が着脱自在に設けられ、
前記蓋体における前記横送りスクリューコンベアの回転方向下手側箇所に、前記横送りスクリューコンベアの周方向に沿う蓋体側の穀粒案内面が設けられ、
前記蓋体側の穀粒案内面を構成する板状の案内面構成体が前記蓋体に取り付けられ、
前記蓋体が、その周縁部を前記搬送用ケースの清掃用開口の外周部に形成されたフランジ連結用接続面に当て付けた状態で取り付けられ、
前記蓋体における前記蓋体側の穀粒案内面が設けられる側とは反対側に対応する前記清掃用開口の端部において、前記フランジ連結用接続面よりもケース内方側に凹入する凹部が形成され、
前記案内面構成体における前記蓋体側の穀粒案内面とは反対側の端部を、前記凹部に入り込ませて前記受渡用搬送経路を形成する空間に露出させない状態で、前記蓋体が前記搬送用ケースに取り付けられている穀粒搬送装置。
【請求項３】
穀粒を搬送する横送りスクリューコンベアと縦送りスクリューコンベアとがベベルギア機構を介して連動連結され、且つ、前記横送りスクリューコンベアから前記縦送りスクリューコンベアに穀粒を受け渡すための受渡用搬送経路を形成する搬送用ケースが備えられている穀粒搬送装置であって、
前記搬送用ケースにおける前記受渡用搬送経路の搬送始端側箇所に対応する一部を開口する状態で清掃用開口が形成され、
その清掃用開口を閉じる平板状の蓋体が着脱自在に設けられ、
前記蓋体における前記横送りスクリューコンベアの回転方向下手側箇所に、前記横送りスクリューコンベアの周方向に沿う蓋体側の穀粒案内面が設けられ、
前記蓋体における前記横送りスクリューコンベアの回転方向上手側箇所に対応する前記清掃用開口の端部に、前記横送りスクリューコンベアの周方向に沿うケース側の穀粒案内面が設けられ、
前記蓋体における前記横送りスクリューコンベアの回転方向下手側箇所が、前記蓋体における前記横送りスクリューコンベアの回転方向上手側箇所よりも下方側に位置するものであり、
前記蓋体側の穀粒案内面を構成する板状の案内面構成体が前記蓋体に取り付けられ、
前記蓋体が、その周縁部を前記搬送用ケースの清掃用開口の外周部に形成されたフランジ連結用接続面に当て付けた状態で取り付けられ、
前記案内面構成体は、前記横送りスクリューコンベアの回転方向上手側箇所が前記蓋体に取り付けられ、前記横送りスクリューコンベアの回転方向下手側箇所を前記蓋体との間に空間を形成するように被取付箇所に対して曲げることにより前記蓋体側の穀粒案内面が形成されている穀粒搬送装置。
【請求項４】
穀粒を搬送する横送りスクリューコンベアと縦送りスクリューコンベアとがベベルギア機構を介して連動連結され、且つ、前記横送りスクリューコンベアから前記縦送りスクリューコンベアに穀粒を受け渡すための受渡用搬送経路を形成する搬送用ケースが備えられている穀粒搬送装置であって、
前記搬送用ケースにおける前記受渡用搬送経路の搬送始端側箇所に対応する一部を開口する状態で清掃用開口が形成され、
その清掃用開口を閉じる平板状の蓋体が着脱自在に設けられ、
前記蓋体における前記横送りスクリューコンベアの回転方向下手側箇所に、前記横送りスクリューコンベアの周方向に沿う蓋体側の穀粒案内面が設けられ、
前記蓋体側の穀粒案内面を構成する板状の案内面構成体が前記蓋体に取り付けられ、
前記案内面構成体は、前記横送りスクリューコンベアの回転方向上手側箇所が前記蓋体に取り付けられ、前記横送りスクリューコンベアの回転方向下手側箇所を前記蓋体との間に空間を形成するように被取付箇所に対して曲げることにより前記蓋体側の穀粒案内面が形成されている穀粒搬送装置。
【発明の詳細な説明】
【技術分野】
【０００１】
本発明は、穀粒を搬送する横送りスクリューコンベアと縦送りスクリューコンベアとがベベルギア機構を介して連動連結され、且つ、前記横送りスクリューコンベアから前記縦送りスクリューコンベアに穀粒を受け渡すための受渡用搬送経路を形成する搬送用ケースが備えられている穀粒搬送装置に関する。
【背景技術】
【０００２】
上記した穀粒搬送装置は、例えば、コンバインに搭載された脱穀装置において脱穀処理された穀粒を回収して穀粒貯留部に向けて搬送するための穀粒搬送装置、あるいは、貯留タンクに貯留されている穀粒を外部に排出させるための穀粒搬送装置として使用されるものであるが、この種の穀粒搬送装置において、従来では、次のように構成したものがあった。
【０００３】
すなわち、前記搬送用ケースに相当する横送りスクリューコンベアと縦送りスクリューコンベアとの直交部分を構成するコーナーケース、すなわち、受渡用搬送経路を形成する搬送用ケースを、その全体を縦に分割した第１分割ケースと第２分割ケースとで構成して、それらを連結するという２つ割構造に構成したものがあった（例えば、特許文献１参照。）。
【先行技術文献】
【特許文献】
【０００４】
【特許文献１】特開平１０−２０１３５３号公報
【発明の概要】
【発明が解決しようとする課題】
【０００５】
上記従来構成では、前記受渡用搬送経路内部において穀粒が堆積して詰まりが発生した場合、左右２つ割り構造の第１分割ケースと第２分割ケースのうちのいずれかを取り外して詰まりを解除することが可能であるが、左右２つ割り構造のケースは受渡用搬送経路の全体を形成する大型の部材であるから、搬送用ケースの構造が複雑になりコスト高を招く不利があり、しかも、そのような大型の部材を取り外す作業が行い難いものであり、穀粒の詰まりを除去する作業が煩わしいものとなる不利があった。
【０００６】
そこで、従来の不利を解消するために、受渡用搬送経路を形成する搬送用ケースにおける穀粒の詰まりが発生し易い箇所に部分的に開口する清掃用開口を形成して、その清掃用開口を閉じる蓋体を開閉自在に備える構成とすることが考えられる。
【０００７】
そして、上述したように搬送用ケースの詰まりが発生し易い箇所に部分的に口する清掃用開口を形成する場合において、構造を簡素化して低コスト化を図りながらも、穀粒が詰まることを回避できるようにすることが望まれるものであった。
【０００８】
本発明の目的は、搬送用ケースの穀粒詰まりが発生し易い箇所に部分的に開口する清掃用開口を形成する場合において、構造を簡素化して低コスト化を図りながらも、穀粒が詰まることを回避できるようにすることが可能な穀粒搬送装置を提供する点にある。
【課題を解決するための手段】
【０００９】
本発明に係る穀粒搬送装置は、穀粒を搬送する横送りスクリューコンベアと縦送りスクリューコンベアとがベベルギア機構を介して連動連結され、且つ、前記横送りスクリューコンベアから前記縦送りスクリューコンベアに穀粒を受け渡すための受渡用搬送経路を形成する搬送用ケースが備えられている穀粒搬送装置であって、
前記搬送用ケースにおける前記受渡用搬送経路の搬送始端側箇所に対応する一部を開口する状態で清掃用開口が形成され、
その清掃用開口を閉じる平板状の蓋体が着脱自在に設けられ、
前記蓋体における前記横送りスクリューコンベアの回転方向下手側箇所に、前記横送りスクリューコンベアの周方向に沿う蓋体側の穀粒案内面が設けられ、
前記蓋体における前記横送りスクリューコンベアの回転方向上手側箇所に対応する前記清掃用開口の端部に、前記横送りスクリューコンベアの周方向に沿うケース側の穀粒案内面が設けられ、
前記蓋体における前記横送りスクリューコンベアの回転方向下手側箇所が、前記蓋体における前記横送りスクリューコンベアの回転方向上手側箇所よりも下方側に位置するものであり、
前記蓋体側の穀粒案内面を構成する板状の案内面構成体が前記蓋体に取り付けられ、
前記蓋体が、その周縁部を前記搬送用ケースの清掃用開口の外周部に形成されたフランジ連結用接続面に当て付けた状態で取り付けられ、
前記蓋体における前記蓋体側の穀粒案内面が設けられる側とは反対側に対応する前記清掃用開口の端部において、前記フランジ連結用接続面よりもケース内方側に凹入する凹部が形成され、
前記案内面構成体における前記蓋体側の穀粒案内面とは反対側の端部を、前記凹部に入り込ませて前記受渡用搬送経路を形成する空間に露出させない状態で、前記蓋体が前記搬送用ケースに取り付けられている点にある。
【００１０】
第１特徴構成によれば、搬送用ケースにおける受渡用搬送経路の搬送始端側箇所に対応する一部を開口する状態で清掃用開口が形成される。受渡用搬送経路の搬送始端側箇所は、横送りスクリューコンベアから縦送りスクリューコンベアへ穀粒を受け渡す際に、受渡用搬送経路の搬送始端側箇所が搬送終端側箇所よりも下方側に位置するので、穀粒が詰まり易いが、この搬送始端側箇所に対応する一部を開口する状態で清掃用開口を形成するので、穀粒の詰まりが発生したときに、この清掃用開口を通して詰まりを除去することができる。
【００１１】
前記清掃用開口は搬送始端側箇所に対応する一部を開口するものであり、その清掃用開口を平板状の蓋体にて閉じるものであるから、蓋体の外形形状を小形にすることでき、しかも、蓋体は平板状であることから、蓋体の構造が簡単であり、低コスト化を図ることができる。
【００１２】
又、上記したように搬送始端側箇所に対応する一部を開口する清掃用開口を平板状の蓋体にて閉じるものであるから、平板状の蓋体における横送りスクリューコンベアの回転方向上手側箇所又は回転方向下手側箇所においては、円形状の軌跡を描いて回転する横送りスクリューコンベアから径方向に遠ざかることになるので、その箇所には蓋体と横送りスクリューコンベアとの間に空間が形成されるが、横送りスクリューコンベアの周方向に沿う穀粒案内面を設けることにより、横送りスクリューコンベアとの間に形成される空間を少なくすることができ、穀粒が滞留することを回避し易いものにできる。
【００１３】
しかも、蓋体側の穀粒案内面が蓋体に設けられることから、搬送用ケースの蓋体側の穀粒案内面が対向する箇所には、穀粒が滞留するのを防止すべく横送りスクリューコンベアとの間の空間を狭くするための特別な部材は必要無い。つまり、搬送用ケースの詰まり除去作業のために蓋体を取り外すと、蓋体側の穀粒案内面も共に取り外されることになり、その蓋体が取り外された後には、清掃用開口には、上記したような空間を狭くするための特別な部材が存在しないので、開口面積を大きくして広い作業用の空間を確保することができ、詰まった穀粒を取り除くことを行い易いものとなる。
【００１４】
従って、第１特徴構成によれば、搬送用ケースの詰まりが発生し易い箇所に部分的に開口する清掃用開口を形成する場合において、構造を簡素化して低コスト化を図りながらも、穀粒が詰まることを回避し易く、しかも、詰まった穀粒を容易に取り除くことを行い易いものにすることが可能な穀粒搬送装置を提供できるに至った。
【００１５】
【００１６】
又、第１特徴構成によれば、蓋体における横送りスクリューコンベアの回転方向上手側箇所又は回転方向下手側箇所のうちで、いずれか一方の箇所に蓋体側の穀粒案内面を設けるようにしたから、蓋体側の穀粒案内面が設けられる箇所では、清掃用開口には穀粒通過用の空間を狭くするための特別な部材が存在しないので、その箇所に穀粒が詰まることがあっても、容易に詰まった穀粒を除去することができる。
【００１７】
又、上記したように蓋体における横送りスクリューコンベアの回転方向上手側箇所又は回転方向下手側箇所のうちの蓋体側の穀粒案内面が設けられる側とは反対側の箇所に対応する清掃用開口の端部において、横送りスクリューコンベアの周方向に沿う穀粒案内面が設けられている。
この搬送用ケースに設けられる穀粒案内面は、搬送用ケースに別体で取り付けられる蓋体とは異なり、搬送用ケースに備えられる穀粒搬送用の内周面に連なる状態で、段差や突起部等が無く滑らかな案内面を形成することが可能となるものであるから、蓋体側の穀粒案内面が設けられる側とは反対側の箇所においては、このケース側の穀粒案内面によって穀粒の詰まりの発生を的確に防止できるものになる。
【００１８】
従って、第１特徴構成によれば、蓋体側の穀粒案内面が設けられる箇所では、詰まった穀粒を取り除くことが行い易いものとなり、ケース側の穀粒案内面が設けられる箇所では、穀粒詰まりの発生を確実に防止できるものとなり、穀粒搬送装置全体として、穀粒が詰まることを回避し易いものにしながら、詰まった穀粒を容易に取り除くことを行い易いものにすることが可能となった。
【００１９】
【００２０】
第１特徴構成によれば、前記清掃用開口における前記横送りスクリューコンベアの回転方向上手側の端部においては、ケース側の穀粒案内面が設けられており、このケース側の穀粒案内面は上述した如く、段差や突起部等が無い滑らかな穀粒案内面を形成することが可能であることから、穀粒が引っ掛かって堆積することなく良好に搬送させることが可能となる。
【００２１】
又、蓋体における横送りスクリューコンベアの回転方向下手側箇所に蓋体側の穀粒案内面が設けられるから、蓋体側の穀粒案内面が横送りスクリューコンベアの周方向に沿う穀粒案内面を形成するために、例えば、板体を折り曲げて蓋体の板面に対して斜め姿勢で突出するように構成するという簡素な構成を採用しても、蓋体の板面に沿う案内面から一連に連なる斜め姿勢の案内面にすることにより横送りスクリューコンベアの周方向に沿う穀粒案内面を形成することができ、穀粒が引っ掛かって堆積することなく良好に搬送させることが可能となる。
【００２２】
従って、第１特徴構成によれば、蓋体側の穀粒案内面の構造の簡素化を図ることが可能でありながらも、蓋体における横送りスクリューコンベアの回転方向下手側箇所及び横送りスクリューコンベアの回転方向上手側箇所の夫々において、穀粒が引っ掛かって堆積することなく良好に搬送させることが可能となった。
【００２３】
【００２４】
第１特徴構成によれば、蓋体における横送りスクリューコンベアの回転方向下手側箇所が蓋体における横送りスクリューコンベアの回転方向上手側箇所よりも下方側に位置することになるが、このような構成では、横送りスクリューコンベアの回転方向下手側箇所の方が横送りスクリューコンベアの回転方向上手側箇所よりも穀粒が滞留して詰まり易いものとなる。そして、このように穀粒が滞留し易い箇所に、蓋体側の穀粒案内面が設けられており、しかも、上述した如く、蓋体側の穀粒案内面が設けられる箇所では、清掃用開口には穀粒通過用の空間を狭くするための特別な部材が存在しないから、蓋体を取り外した後は、滞留して詰まっている穀粒を取り除くことを行い易いものとなるのである。
【００２５】
従って、第１特徴構成によれば、蓋体を取り外した後に、滞留して詰まっている穀粒を取り除く作業が行い易いものとなった。
【００２６】
【００２７】
第１特徴構成によれば、蓋体側の穀粒案内面を構成する板状の案内面構成体が蓋体に取り付けられ、蓋体はその周縁部をフランジ連結用接続面に当て付けた状態で搬送用ケースに取り付けられる。そして、そのように蓋体が搬送用ケースに取り付けられた状態では、案内面構成体における蓋体側の穀粒案内面とは反対側の端部が、搬送用ケースに形成された凹部に入り込ませて受渡用搬送経路を形成する空間に露出させない状態で、蓋体が搬送用ケースに取り付けられることになる。
【００２８】
このように蓋体側の穀粒案内面を板状の案内面構成体にて構成するので、蓋体側の穀粒案内面の構成の簡素化を図ることができ、そのように簡素な構成の蓋体側の穀粒案内面とは反対側の端部が受渡用搬送経路を形成する空間に露出しないように、搬送用ケースに形成された凹部に入り込ませるようにしたから、穀粒が蓋体側の穀粒案内面とは反対側の端部に引っ掛かり堆積することを回避して穀粒の詰まりの発生を防止することができる。
【００２９】
従って、第１特徴構成によれば、蓋体側の穀粒案内面の構造の簡素化を図りながら、穀粒の詰まりの発生を防止することができる。
本発明の第２特徴構成は、穀粒を搬送する横送りスクリューコンベアと縦送りスクリューコンベアとがベベルギア機構を介して連動連結され、且つ、前記横送りスクリューコンベアから前記縦送りスクリューコンベアに穀粒を受け渡すための受渡用搬送経路を形成する搬送用ケースが備えられている穀粒搬送装置であって、
前記搬送用ケースにおける前記受渡用搬送経路の搬送始端側箇所に対応する一部を開口する状態で清掃用開口が形成され、
その清掃用開口を閉じる平板状の蓋体が着脱自在に設けられ、
前記蓋体における前記横送りスクリューコンベアの回転方向下手側箇所に、前記横送りスクリューコンベアの周方向に沿う蓋体側の穀粒案内面が設けられ、
前記蓋体側の穀粒案内面を構成する板状の案内面構成体が前記蓋体に取り付けられ、
前記蓋体が、その周縁部を前記搬送用ケースの清掃用開口の外周部に形成されたフランジ連結用接続面に当て付けた状態で取り付けられ、
前記蓋体における前記蓋体側の穀粒案内面が設けられる側とは反対側に対応する前記清掃用開口の端部において、前記フランジ連結用接続面よりもケース内方側に凹入する凹部が形成され、
前記案内面構成体における前記蓋体側の穀粒案内面とは反対側の端部を、前記凹部に入り込ませて前記受渡用搬送経路を形成する空間に露出させない状態で、前記蓋体が前記搬送用ケースに取り付けられている点にある。
本発明の第３特徴構成は、穀粒を搬送する横送りスクリューコンベアと縦送りスクリューコンベアとがベベルギア機構を介して連動連結され、且つ、前記横送りスクリューコンベアから前記縦送りスクリューコンベアに穀粒を受け渡すための受渡用搬送経路を形成する搬送用ケースが備えられている穀粒搬送装置であって、
前記搬送用ケースにおける前記受渡用搬送経路の搬送始端側箇所に対応する一部を開口する状態で清掃用開口が形成され、
その清掃用開口を閉じる平板状の蓋体が着脱自在に設けられ、
前記蓋体における前記横送りスクリューコンベアの回転方向下手側箇所に、前記横送りスクリューコンベアの周方向に沿う蓋体側の穀粒案内面が設けられ、
前記蓋体における前記横送りスクリューコンベアの回転方向上手側箇所に対応する前記清掃用開口の端部に、前記横送りスクリューコンベアの周方向に沿うケース側の穀粒案内面が設けられ、
前記蓋体における前記横送りスクリューコンベアの回転方向下手側箇所が、前記蓋体における前記横送りスクリューコンベアの回転方向上手側箇所よりも下方側に位置するものであり、
前記蓋体側の穀粒案内面を構成する板状の案内面構成体が前記蓋体に取り付けられ、
前記蓋体が、その周縁部を前記搬送用ケースの清掃用開口の外周部に形成されたフランジ連結用接続面に当て付けた状態で取り付けられ、
前記案内面構成体は、前記横送りスクリューコンベアの回転方向上手側箇所が前記蓋体に取り付けられ、前記横送りスクリューコンベアの回転方向下手側箇所を前記蓋体との間に空間を形成するように被取付箇所に対して曲げることにより前記蓋体側の穀粒案内面が形成されている点にある。
本発明の第４特徴構成は、穀粒を搬送する横送りスクリューコンベアと縦送りスクリューコンベアとがベベルギア機構を介して連動連結され、且つ、前記横送りスクリューコンベアから前記縦送りスクリューコンベアに穀粒を受け渡すための受渡用搬送経路を形成する搬送用ケースが備えられている穀粒搬送装置であって、
前記搬送用ケースにおける前記受渡用搬送経路の搬送始端側箇所に対応する一部を開口する状態で清掃用開口が形成され、
その清掃用開口を閉じる平板状の蓋体が着脱自在に設けられ、
前記蓋体における前記横送りスクリューコンベアの回転方向下手側箇所に、前記横送りスクリューコンベアの周方向に沿う蓋体側の穀粒案内面が設けられ、
前記蓋体側の穀粒案内面を構成する板状の案内面構成体が前記蓋体に取り付けられ、
前記案内面構成体は、前記横送りスクリューコンベアの回転方向上手側箇所が前記蓋体に取り付けられ、前記横送りスクリューコンベアの回転方向下手側箇所を前記蓋体との間に空間を形成するように被取付箇所に対して曲げることにより前記蓋体側の穀粒案内面が形成されている点にある。
【図面の簡単な説明】
【００３０】
【図１】は、脱穀装置の縦断側面図である。
【図２】は、脱穀装置の縦断正面図である。
【図３】は、一番物搬送装置の縦断正面図である。
【図４】は、搬送用ケースの分解斜視図である。
【図５】は、一番物搬送装置の縦断側面図である。
【図６】は、一番物搬送装置の横断平面図である。
【発明を実施するための形態】
【００３１】
以下、本発明の実施の形態をコンバインの脱穀装置における穀粒搬送装置に適用した場合について図面に基づいて説明する。
【００３２】
図１にコンバインに搭載される脱穀装置１を示している。この脱穀装置１は、扱胴２と受網３とによってフィードチェーン４によって搬送されて来る穀稈を脱穀処理するとともに、受網３から漏下した処理物を揺動選別ケース５により穀粒とワラ屑とに比重選別するように構成してある。揺動選別ケース５は、上部のグレンパン６とチャフシーブ７とで穀粒とワラ屑とに粗選別処理し、下部のグレンパン８とグレンシーブ９で精選別処理して、グレンシーブ９から穀粒（一番物）を下方に漏下させるように構成してある。
そして、グレンシーブ９から漏下して回収された穀粒を本発明に係る穀粒搬送装置としての一番物搬送装置Ａを介して脱穀装置外部の穀粒回収タンクに排出するように構成してあり、グレンシーブ９の終端から排出された枝付き穀粒等の二番物は二番物回収部１３に回収し、二番物還元装置Ｂを介して揺動選別ケース５の始端部に還元して再処理するようになっている。
又、受網３の後端の送塵口３ａから排出された処理物のうちワラ屑は第一ストローラック１０並びに第二ストローラック１１を介して機外に排出し、揺動選別ケース５上に浮遊する籾殻や小さなワラ屑等の塵埃は唐箕１５による選別風並びに排塵ファン１６による吸引風によって機外に排出するように構成してある。
【００３３】
図２に示すように前記一番物搬送装置Ａは、穀粒を搬送する横送りスクリューコンベア２０と縦送りスクリューコンベア２１とをベベルギア機構２２を介して連動連結し、且つ、横送りスクリューコンベア２０から縦送りスクリューコンベア２１に穀粒を受け渡すための受渡用搬送経路Ｋを形成する搬送用ケース２３を備えて構成してある。この搬送用ケース２３は、受渡用搬送経路Ｋを形成する搬送経路形成用ケース部２３Ａとベベルギア機構２２を囲うベベルギアケース部２３Ｂとを含む状態で一体成型にて作製してある。
【００３４】
図３に示すように、搬送用ケース２３の内部に、横送りスクリューコンベア２０の搬送終端部から縦送りスクリューコンベア２１の搬送始端部に向けて穀粒を受け渡すための受渡用搬送経路Ｋを形成してある。
【００３５】
前記横送りスクリューコンベア２０は、脱穀装置１の内部においてグレンシーブ９の下方に位置する状態で設けてあり、グレンシーブ９から漏下した穀粒（一番物）を受止めて横一側方に搬送するように構成してある。つまり、横送りスクリューコンベア２０の下方側に位置させて外周部に近接させた状態で受樋部２４を横送りスクリューコンベア２０の長手方向に沿って設けてあり、穀粒を受樋部２４にて受止めながら横送りスクリューコンベア２０のスクリュー羽根２０ａによって押し移動しながら搬送するように構成してある。
【００３６】
図２及び図３に示すように、横送りスクリューコンベア２０は、脱穀装置側板２５を通過して外方にまで延出してあり、横送りスクリューコンベア２０の外方延出部分は、脱穀装置側板２５にボルト連結された延長筒部２６にて外周部が囲われている。そして、延長筒部２６の外方側端部に設けられたフランジ部２７に搬送用ケース２３における下部側フランジ部２８をボルト連結により固定してあり、又、図５に示すように、搬送用ケース２３の上部側フランジ部２９と縦送りスクリューコンベア２１の外周部を囲う縦搬送用筒部３０の下端部に設けられたフランジ部３１とをボルト連結により固定してある。
【００３７】
図３に示すように、横送りスクリューコンベア２０とベベルギア機構２２との連結箇所は、横送りスクリューコンベア２０の軸端に形成されたスプライン軸部５０と、ベベルギア機構２２の入力軸５１に形成されたスプライン軸部５２とを、それらの各スプライン軸部５０、５２にスプライン嵌合する入力側の連結用部材５３にて一体回転自在に連結するようにしてある。
【００３８】
そして、入力側の連結用部材５３は、その外形形状が穀粒搬送方向上手側から穀粒搬送方向下手側に向かうほど大径となるような円錐形状になるように構成され、その搬送方向下手側端部には、ベベルギアケース部２３Ｂの入力側のベアリング受部５４の外周部を囲う外筒部５５を形成してある。
【００３９】
図３及び図６に示すように、入力側の連結用部材５３の外周部には、穀粒を受渡用搬送経路Ｋに沿って穀粒を送るための一対の送り羽根５６を一体的に形成してある。尚、図３では、後述する清掃用開口３１の構成を理解し易くするために１個の送り羽根５６は省略している。
【００４０】
縦送りスクリューコンベア２１は、横送りスクリューコンベア２０と同様に、ベベルギア機構２２の出力軸５７との間でスプライン嵌合されるが、この縦送りスクリューコンベア２１は、その下端部に、ベベルギア機構２２の出力軸５７に形成されたスプライン軸部５８にスプライン嵌合する出力側の連結用部材５９が一体的に連結されている。
【００４１】
そして、この出力側の連結用部材５９は、その外形形状が穀粒搬送方向上手側から穀粒搬送方向下手側に向かうほど小径となるような円錐形状になるように構成され、その搬送方向上手側端部には、ベベルギアケース部２３Ｂの出力側のベアリング受部６０の外周部を囲う外筒部６１を形成してある。
図３及び図５に示すように、縦送りスクリューコンベア２１の搬送始端部には、縦送りスクリューコンベア２１のスクリュー羽根２１ａとは別に二重螺旋形状になるように補助送り羽根２１ｂを形成してある。尚、図３は、出力側の連結用部材５９の構成を理解し易くするために、スクリュー羽根２１ａ及び補助送り羽根２１ｂは一部記載を省略している。
【００４２】
搬送用ケース２３には、受渡用搬送経路Ｋの搬送始端側箇所に対応する一部を開口する状態で本発明に係る清掃用開口に対応する搬送始端側の清掃用開口３１を形成してあり、その搬送始端側の清掃用開口３１を閉じる平板状の搬送始端側の蓋体３２を着脱自在に設けてある。前記搬送始端側の清掃用開口３１は縦長の長方形状に形成してある。
【００４３】
搬送始端側の蓋体３２における横送りスクリューコンベア２０の回転方向下手側箇所に、横送りスクリューコンベア２０の周方向に沿う穀粒案内面３３を備えた蓋体側の穀粒案内部３４を設けてあり、搬送始端側の蓋体３２における横送りスクリューコンベア２０の回転方向上手側箇所に対応する搬送始端側の清掃用開口３１の端部において、横送りスクリューコンベア２０の周方向に沿う穀粒案内面３５を備えたケース側の穀粒案内部３６を設けてある。そして、搬送始端側の蓋体３２における横送りスクリューコンベア２０の回転方向下手側箇所が、搬送始端側の蓋体３２における横送りスクリューコンベア２０の回転方向上手側箇所よりも下方側に位置するように構成してある。
【００４４】
次に、搬送始端側の清掃用開口３１及び搬送始端側の蓋体３２について説明を加える。
図２〜図５に示すように、搬送用ケース２３における受渡用搬送経路Ｋの搬送始端側箇所である横送りスクリューコンベア２０の搬送終端部に対応する箇所に、周方向の一部を開口する状態で、且つ、斜め下方に向けて開口する状態で搬送始端側の清掃用開口３１を形成してある。この搬送始端側の清掃用開口３１の外周部にはフランジ連結用接続面３７を形成してあり、このフランジ連結用接続面３７に板状に形成された搬送始端側の蓋体３２の周縁部を当て付けて、その搬送始端側の蓋体３２を搬送始端側の清掃用開口３１の外周部に設けられたフランジ部３８にボルト連結することにより、搬送始端側の蓋体３２を搬送用ケース２３に取り付けるように構成してある。
フランジ部３８は、搬送用ケース２３のケース外面から外側に突出した状態で、搬送用ケース２３に一体的に形成してある。
【００４５】
図４に示すように、搬送始端側の蓋体３２には、蓋体側の穀粒案内面３３を構成する板状の案内面構成体３９を溶接により一体的に取り付けてあり、この案内面構成体３９は搬送始端側の蓋体３２よりも外形寸法が小形であり、案内面構成体３９の周部の外方に位置する搬送始端側の蓋体３２の周縁部をフランジ連結用接続面３７に当て付けた状態で搬送始端側の蓋体３２を搬送用ケース２３に取り付けることができるように構成してある。
【００４６】
板状の案内面構成体３９は、横送りスクリューコンベア２０の回転方向下手側端部において、横送りスクリューコンベア２０に近づくように略くの字形に折り曲げてあり、その折り曲げた箇所にて横送りスクリューコンベア２０の周方向に沿う穀粒案内面３３を形成している。つまり、板状の案内面構成体３９の横送りスクリューコンベア２０の回転方向下手側端部箇所が蓋体側の穀粒案内面３３を構成する。
【００４７】
図５に示すように、搬送始端側の蓋体３２における横送りスクリューコンベア２０の回転方向下手側箇所が、搬送始端側の蓋体３２における横送りスクリューコンベア２０の回転方向上手側箇所よりも下方側に位置しており、しかも、搬送始端側の蓋体３２における横送りスクリューコンベア２０の回転方向下手側箇所に対応する搬送始端側の清掃用開口３１の端部においては、その搬送始端側の清掃用開口３１に連なる搬送用ケース２３の内周面は、その内周面における最下端に位置する箇所ｐから清掃用開口３１に至るまでの間が、最下端に位置する箇所ｐから横送りスクリューコンベア２０の回転軌跡に対する接線方向に沿う形状に設けられている。言い換えると、内周面における最下端に位置する箇所ｐから搬送始端側の清掃用開口３１に至るまでの間が水平姿勢になる状態で内周面が形成されている。
【００４８】
図５に示すように、横送りスクリューコンベア２０の回転方向下手側箇所に対応する搬送始端側の清掃用開口３１の端部は、受渡用搬送経路Ｋにおける最下端位置であり、受渡用搬送経路Ｋにおいて滞留する穀粒は自重によってこの箇所に堆積されるのであり、穀粒詰まりが発生したときに、搬送始端側の蓋体３２を取り外すことによりこの箇所に詰まっている穀粒を容易に取り除くことができるのである。
【００４９】
又、搬送始端側の蓋体３２における横送りスクリューコンベア２０の回転方向上手側箇所に対応する搬送始端側の清掃用開口３１の端部において、横送りスクリューコンベア２０の周方向に沿う穀粒案内面３５を備えたケース側の穀粒案内部３６を設けてある。このケース側の穀粒案内部３６は、搬送用ケース２３における搬送経路形成用ケース部２３Ａに一体的に形成されている。穀粒案内面３５は、ケース側の穀粒案内部３６から案内面構成体３９の内面側箇所に亘る状態で形成されている。
【００５０】
このように蓋体側の穀粒案内面３３及びケース側の穀粒案内面３５を設けることにより、搬送始端側の蓋体３２における横送りスクリューコンベア２０の回転方向上手側端部及び回転方向下手側端部の夫々において、穀粒の滞留を抑制して良好に受渡用搬送経路Ｋの終端側に向けて穀粒を搬送させることができる。
【００５１】
図５に示すように、搬送始端側の蓋体３２における横送りスクリューコンベア２０の回転方向上手側箇所に対応する搬送始端側の清掃用開口３１の端部において、搬送用ケース２３のフランジ連結用接続面３７よりもケース内方側に凹入する凹部４０を形成してあり、案内面構成体３９における蓋体側の穀粒案内部３４とは反対側の端部を凹部４０に入り込ませて受渡用搬送経路Ｋを形成する空間に露出させない状態で、搬送始端側の蓋体３２を搬送用ケース２３に取り付けるように構成してある。
【００５２】
案内面構成体３９における蓋体側の穀粒案内部３４とは反対側の端部を凹部４０に入り込ませることで、案内面構成体３９における反対側の端部が受渡用搬送経路Ｋを形成する空間に露出せず、ケース側の穀粒案内面３５と案内面構成体３９の内面との間に横送りスクリューコンベア２０の回転方向での段差が生じ難くなるので、案内面構成体３９を設けるようにしても、搬送始端側の蓋体３２における横送りスクリューコンベア２０の回転方向上手側箇所において、穀粒が引っ掛かり堆積することがなく、穀粒の詰まりを回避できるものとなる。
【００５３】
搬送用ケース２３には、受渡用搬送経路Ｋの搬送終端側箇所に対応する一部を開口する状態で搬送終端側の清掃用開口４１を形成してあり、その搬送終端側の清掃用開口４１を閉じる平板状の搬送終端側の蓋体４２を着脱自在に設けてある。
【００５４】
次に、搬送終端側の清掃用開口４１及び搬送終端側の蓋体４２について説明する。
図２及び図４〜図６に示すように、搬送用ケース２３における受渡用搬送経路Ｋの搬送終端側箇所である縦送りスクリューコンベア２１の搬送始端部に対応する箇所に、周方向の一部を開口する状態で縦長で長方形状の搬送終端側の清掃用開口４１を形成してある。
この搬送終端側の清掃用開口４１の外周部にはフランジ連結用接続面４３を形成してあり、このフランジ連結用接続面４３に搬送終端側の蓋体４２の周縁部を当て付けて、その搬送終端側の蓋体４２を搬送終端側の清掃用開口４１の外周部に設けられたフランジ部４４にボルト連結することにより、搬送終端側の清掃用開口４１を閉塞した状態で搬送終端側の蓋体４２を搬送用ケース２３に取り付けることができるように構成してある。
フランジ部４４は、搬送用ケース２３のケース外面から外側に突出して状態で搬送用ケース２３に一体的に形成してある。
【００５５】
図４及び図６に示すように、搬送終端側の蓋体４２には、平板状の板体４５を溶接により一体的に取り付けてあり、この板体４５は案内面構成体３９と同じように搬送始端側の蓋体４２よりも外形寸法が小形であり、板体４５の外周部に位置する搬送終端側の蓋体４２の周縁部をフランジ連結用接続面４３に当て付けた状態で搬送終端側の蓋体４２を搬送用ケース２３に取り付けることができるように構成してある。
【００５６】
図６に示すように、搬送終端側の蓋体４２における横送りスクリューコンベア２０の回転方向上手側箇所に対応する搬送終端側の清掃用開口４１の端部、及び、回転方向下手側箇所に対応する搬送終端側の清掃用開口４１の端部の夫々において、横送りスクリューコンベア２０の周方向に沿う穀粒案内面４６を備えたケース側の穀粒案内部４７を設けてある。これらの両側のケース側の穀粒案内部４７は、搬送用ケース２３における搬送経路形成用ケース部２３Ａに一体的に形成してある。
【００５７】
又、搬送終端側の清掃用開口４１には、搬送用ケース２３のフランジ連結用接続面４３よりもケース内方側に凹入する凹部４８を形成してあり、搬送終端側の蓋体４２に一体的に設けられた平板状の板体４５を凹部４８に入り込む状態で、搬送終端側の蓋体４２の周縁部を当て付けて、その蓋体４２を搬送終端側の清掃用開口４１の外周部に設けられたフランジ部４４にボルト連結することにより、搬送終端側の蓋体４２を搬送用ケース２３に取り付けるように構成してある。
【００５８】
〔別実施形態〕
（１）上記実施形態では、蓋体側の穀粒案内面３３を搬送始端側の蓋体３２における横送りスクリューコンベア２０の回転方向下手側箇所に設け、ケース側の穀粒案内面３５を搬送始端側の清掃用開口３１における横送りスクリューコンベア２０の回転方向上手側の端部に設ける構成を例示したが、このような構成に代えて、蓋体側の穀粒案内面３３を搬送始端側の蓋体３２における横送りスクリューコンベア２０の回転方向上手側箇所に設け、ケース側の穀粒案内面３５を搬送始端側の清掃用開口３１における横送りスクリューコンベア２０の回転方向下手側の端部に設ける構成としてもよい。
又、ケース側の穀粒案内面３５は備えないで、蓋体側の穀粒案内面３３を、搬送始端側の蓋体３２における横送りスクリューコンベア２０の回転方向上手側箇所及び回転方向下手側の夫々に設ける構成としてもよい。
【００５９】
（２）上記実施形態では、搬送始端側の清掃用開口３１を縦長の長方形状に形成したが、このような構成に代えて、搬送始端側の清掃用開口３１を、正方形状、横長の長方形状、縦長の長円形状、横長の長円形状、あるいは、円形状等、種々の形状にて形成することができ、案内面構成体３９も同様に、搬送始端側の清掃用開口３１の形状に合せた形状に変更してもよい。
【００６０】
（３）上記実施形態では、案内面構成体３９を略くの字形に折り曲げて横送りスクリューコンベア２０の周方向に沿う穀粒案内面３３を形成するようにしたが、このような構成に代えて、案内面構成体３９を横送りスクリューコンベア２０の周方向に沿って湾曲させて穀粒案内面３３を形成するようにしてもよい。
【００６１】
（４）上記実施形態では、搬送始端側の清掃用開口３１の端部において、搬送用ケース２３のフランジ連結用接続面３７よりもケース内方側に凹入する凹部４０を形成し、案内面構成体３９における蓋体側の穀粒案内面３３とは反対側の端部を凹部４０に入り込ませて受渡用搬送経路Ｋを形成する空間に露出させない構成としたが、このような構成に代えて、凹部４０を形成することなく、蓋体側の穀粒案内面３３とは反対側の端部を受渡用搬送経路Ｋを形成する空間に露出させるようにしてもよい。
【００６２】
（５）上記実施形態では、搬送終端側の蓋体４２には蓋体側の穀粒案内面３３を設けない構成としたが、このような構成に代えて、搬送終端側の清掃用開口４１においても、搬送始端側の清掃用開口３１と同じように、蓋体側の穀粒案内面３３を搬送終端側の蓋体４２に設けるようにしてもよい。
【００６３】
（６）上記実施形態では、本発明を脱穀装置の一番物搬送装置Ａに適用するものを例示したが、本発明は二番物還元装置Ｂに適用することができ、又、脱穀装置に限らず、穀粒貯留タンク内部の穀粒を外部に排出させるための穀粒搬送装置、すなわち、穀粒貯留タンクの底部に備えられた横送りスクリューコンベアと外部搬送用の縦送りスクリューコンベアとを連動連結した穀粒搬送装置等にも適用することができる。
【産業上の利用可能性】
【００６４】
本発明は、脱穀装置や穀粒貯留装置等において、貯留している穀粒を外部に搬出させるために用いられる穀粒搬送装置に用いることができる。
【符号の説明】
【００６５】
２０    横送りスクリューコンベア
２１    縦送りスクリューコンベア
２２    ベベルギア機構
２３    搬送用ケース
３１    清掃用開口
３２    蓋体
３３    穀粒案内面
３５    穀粒案内面
３７    フランジ連結用接続面
３９    案内面構成体
４０    凹部
Ｋ      受渡用搬送経路
【図１】
0005600261.tif 000002
【図２】
0005600261.tif 000003
【図３】
0005600261.tif 000004
【図４】
0005600261.tif 000005
【図５】
0005600261.tif 000006
【図６】
0005600261.tif 000007